(57)【特許請求の範囲】
【請求項１】
概略箱形形状の互いに平行な左右両側面にボルト部材を取り付けるための取付片が設けられた天井吊り下げ物を、天井空間に吊り下げた状態で支持する支持装置であって、
前記天井吊り下げ物の上面を左右方向に横断するように配置され、両端部に前記取付片に取り付けられた前記ボルト部材が連結されることにより前記天井吊り下げ物の上面に対して固定される第１フレーム部材と、
前記天井吊り下げ物の上面を前後方向に横断するように配置される第２フレーム部材と、
前記第１フレーム部材と前記第２フレーム部材とが互いに直交し、且つ、前記第１フレーム部材と前記第２フレーム部材とが上下方向に所定間隔を隔てた状態で前記第１フレーム部材と前記第２フレーム部材とを連結するフレーム連結部材と、
下端部が前記第２フレーム部材に連結され、上端部が天井構造に接続される吊りボルトと、
を備え、
前記第１フレーム部材に対する前記フレーム連結部材の取付位置が、前記第１フレーム部材の長手方向に沿って調整可能であることを特徴とする支持装置。
【請求項２】
概略箱形形状の互いに平行な左右両側面にボルト部材を取り付けるための取付片が設けられた天井吊り下げ物を、天井空間に吊り下げた状態で支持する支持装置であって、
前記天井吊り下げ物の上面を左右方向に横断するように配置され、両端部に前記取付片に取り付けられた前記ボルト部材が連結されることにより前記天井吊り下げ物の上面に対して固定される第１フレーム部材と、
前記天井吊り下げ物の上面を前後方向に横断するように配置される第２フレーム部材と、
前記第１フレーム部材と前記第２フレーム部材とが互いに直交し、且つ、前記第１フレーム部材と前記第２フレーム部材とが上下方向に所定間隔を隔てた状態で前記第１フレーム部材と前記第２フレーム部材とを連結するフレーム連結部材と、
下端部が前記第２フレーム部材に連結され、上端部が天井構造に接続される吊りボルトと、
を備え、
前記第２フレーム部材に対する前記吊りボルトの取付位置が、前記第２フレーム部材の長手方向に沿って調整可能であることを特徴とする支持装置。
【請求項３】
前記第１フレーム部材に対する前記フレーム連結部材の取付位置が、前記第１フレーム部材の長手方向に沿って調整可能であることを特徴とする請求項２に記載の支持装置。
【請求項４】
前記フレーム連結部材は、
前記第２フレーム部材に取り付けられる支持ボルトと、
前記第１フレーム部材に接続され、前記第１フレーム部材から立設する縦板部と、
前記縦板部の上部に設けられ、前記支持ボルトを挿通する孔が形成された横板部と、
前記横板部の孔に装着され、前記支持ボルトの下部に連結される防振部材と、
を備えることを特徴とする請求項１乃至３のいずれかに記載の支持装置。
【請求項５】
前記縦板部は、前記防振部材の高さ寸法よりも長いことを特徴とする請求項４に記載の支持装置。
【請求項６】
前記第１フレーム部材は、互いに平行に配置される一対のフレーム部材を有し、前記一対のフレーム部材が前記天井吊り下げ物の前後方向に沿って配置される連結ボルトによって相互に連結されることを特徴とする請求項１乃至５のいずれかに記載の支持装置。
【請求項７】
前記天井吊り下げ物は、空気調和機本体を有し、
前記連結ボルトは、前記空気調和機本体の前後方向両端位置まで延設され、両端部に前記空気調和機本体の前面側及び後面側に係合する係合部材が装着されることを特徴とする請求項６に記載の支持装置。
【請求項８】
前記第２フレーム部材は、両端部が前記天井吊り下げ物の前後方向両端近傍位置まで延設され、該両端部に前記天井吊り下げ物の前後方向両端部を吊り下げ支持するためのボルトが取り付けられることを特徴とする請求項１乃至７のいずれかに記載の支持装置。
【請求項９】
前記第２フレーム部材は、
前記フレーム連結部材によって支持される支持フレームと、
前記支持フレームの前後方向両端部に接続され、前記第２フレーム部材の前後方向の長さを前記天井吊り下げ物の前後方向両端近傍位置まで延設する補助フレームと、
を有し、
前記ボルトが前記補助フレームに取り付けられることを特徴とする請求項８に記載の支持装置。
【請求項１０】
前記吊りボルトの上端部には、前記天井構造に取り付けられたボルトに固定するための天井取付金具が予め取り付けられることを特徴とする請求項１乃至９のいずれかに記載の支持装置。
【発明の詳細な説明】
【技術分野】
【０００１】
本発明は、空気調和機などの天井吊り下げ物を天井空間に吊り下げた状態で支持する支持装置に関する。
【背景技術】
【０００２】
従来、天井空間に吊り下げられた状態に設置される空気調和機が知られている（例えば、特許文献１，２）。この種の空気調和機は、平面視略矩形状であり、互いに平行な二つの側面のそれぞれの下部近傍位置に、吊りボルトなどのボルト部材を連結するための取付片を備えている。このような空気調和機を天井空間に設置する場合、二つの側面のそれぞれに設けられている取付片に対して、天井スラブなどの天井構造から垂下するボルト部材の下端部が連結される。すなわち、空気調和機は、合計４本のボルト部材によって互いに平行な二つの側面に設けられている取付片が支持された状態で天井空間に設置される。
【０００３】
図１３は、空気調和機４００を天井空間に設置した状態における従来の支持構造３００を示す図である。図１３に示すように、従来の支持構造３００は、天井スラブなどの天井構造２００から吊りボルトなどのボルト部材３０９が垂下しており、そのボルト部材３０９の下端部において空気調和機４００を支持する構造である。空気調和機４００は、側面の下部近傍位置にボルト部材３０９を連結するための一対の取付片４１１，４１１を備えており、その一対の取付片４１１，４１１にボルト部材３０９の下端部が連結される。これにより、空気調和機４００は、天井空間に吊り下げられた状態で支持される。
【０００４】
空気調和機４００がボルト部材３０９によって吊り下げられた状態に設置されると、空気調和機４００を振れ止めするためのブレース３１０がボルト部材３０９に取り付けられる。ブレース３１０は、互いに隣り合う２本のボルト部材３０９どうしを連結するように斜め方向に配置され、一方のボルト部材３０９の上部と他方のボルト部材３０９の下部とを連結固定する。隣り合う２本のボルト部材３０９，３０９の間に２本のブレース３１０が交叉配置されることにより、ボルト部材３０９，３０９が固定され、空気調和機４００を振れ止めすることができる。
【先行技術文献】
【特許文献】
【０００５】
【特許文献１】特開平７−７１７８９号公報
【特許文献２】特開２００１−３３０２７２号公報
【発明の概要】
【発明が解決しようとする課題】
【０００６】
ところで、天井空間において空気調和機４００を設置する位置は、設計上予め定められている。そのため、上述した従来の支持構造３００は、設計上予め定められた空気調和機４００の設置位置に基づき、空気調和機４００の二つの側面に設けられている取付片４１１の位置に適合するように、天井構造２００から垂下するボルト部材３０９が設置される。
【０００７】
しかしながら、例えば天井空間において天井構造２００と取付片４１１との間に配管やダクトなどの障害物が存在していると、天井構造２００から取付片４１１の位置に対してボルト部材３０９を垂下させることができず、設計上予め定められた適切な位置に空気調和機４００を設置することができないという問題がある。
【０００８】
また、天井構造２００の下面には、図１４に示すようにデッキプレート２０１が配置されていることがある。デッキプレート２０１は、山部２０２と谷部２０３とが所定間隔で形成されており、その上面にコンクリートなどの天井スラブが打設される。デッキプレート２０１にボルト部材３０９が取り付ける場合、強度低下を防ぐため、山部２０２に対してボルト部材３０９を取り付ける必要がある。
【０００９】
しかし、空気調和機４００においてボルト部材３０９を接続するための一対の取付片４１１の間隔が山部２０２の設置間隔に適合しないことがある。そのような場合、従来は、図１４に示すように、デッキプレート２０１の山部２０２に対し、剛性の高いＨ形鋼などを用いてボルト部材３０９を垂設支持するための支持構造３５０を設置しなければならない。支持構造３５０を設置する作業は高所作業となるため、作業効率が悪い。そのため、空気調和機４００を天井空間に設置するために多大な時間を要するという問題がある。
【００１０】
そこで本発明は、上記問題点を解決するためになされたものであり、空気調和機などの天井吊り下げ物を効率的に適切な位置に設置できるようにした支持装置を提供することを目的とする。
【課題を解決するための手段】
【００１１】
上記目的を達成するため、第１に、本発明は、概略箱形形状の互いに平行な左右両側面にボルト部材を取り付けるための取付片が設けられた天井吊り下げ物を、天井空間に吊り下げた状態で支持する支持装置であって、前記天井吊り下げ物の上面を左右方向に横断するように配置され、両端部に前記取付片に取り付けられた前記ボルト部材が連結されることにより前記天井吊り下げ物の上面に対して固定される第１フレーム部材と、前記天井吊り下げ物の上面を前後方向に横断するように配置される第２フレーム部材と、前記第１フレーム部材と前記第２フレーム部材とが互いに直交し、且つ、前記第１フレーム部材と前記第２フレーム部材とが上下方向に所定間隔を隔てた状態で前記第１フレーム部材と前記第２フレーム部材とを連結するフレーム連結部材と、下端部が前記第２フレーム部材に連結され、上端部が天井構造に接続される吊りボルトと、を備え、前記第１フレーム部材に対する前記フレーム連結部材の取付位置が、前記第１フレーム部材の長手方向に沿って調整可能であることを特徴とする構成である。
第２に、本発明は、概略箱形形状の互いに平行な左右両側面にボルト部材を取り付けるための取付片が設けられた天井吊り下げ物を、天井空間に吊り下げた状態で支持する支持装置であって、前記天井吊り下げ物の上面を左右方向に横断するように配置され、両端部に前記取付片に取り付けられた前記ボルト部材が連結されることにより前記天井吊り下げ物の上面に対して固定される第１フレーム部材と、前記天井吊り下げ物の上面を前後方向に横断するように配置される第２フレーム部材と、前記第１フレーム部材と前記第２フレーム部材とが互いに直交し、且つ、前記第１フレーム部材と前記第２フレーム部材とが上下方向に所定間隔を隔てた状態で前記第１フレーム部材と前記第２フレーム部材とを連結するフレーム連結部材と、下端部が前記第２フレーム部材に連結され、上端部が天井構造に接続される吊りボルトと、を備え、前記第２フレーム部材に対する前記吊りボルトの取付位置が、前記第２フレーム部材の長手方向に沿って調整可能であることを特徴とする構成である。
第３に、本発明は、上記第２の構成を有する支持装置において、前記第１フレーム部材に対する前記フレーム連結部材の取付位置が、前記第１フレーム部材の長手方向に沿って調整可能であることを特徴とする構成である。
【００１２】
第４に、本発明は、上記第１乃至第３のいずれかの構成を有する支持装置において、前記フレーム連結部材は、前記第２フレーム部材に取り付けられる支持ボルトと、前記第１フレーム部材に接続され、前記第１フレーム部材から立設する縦板部と、前記縦板部の上部に設けられ、前記支持ボルトを挿通する孔が形成された横板部と、前記横板部の孔に装着され、前記支持ボルトの下部に連結される防振部材と、を備えることを特徴とする構成である。
【００１３】
第５に、本発明は、上記第４の構成を有する支持装置において、前記縦板部は、前記防振部材の高さ寸法よりも長いことを特徴とする構成である。
【００１４】
第６に、本発明は、上記第１乃至第５のいずれかの構成を有する支持装置において、前記第１フレーム部材は、互いに平行に配置される一対のフレーム部材を有し、前記一対のフレーム部材が前記天井吊り下げ物の前後方向に沿って配置される連結ボルトによって相互に連結されることを特徴とする構成である。
【００１５】
第７に、本発明は、上記第６の構成を有する支持装置において、前記天井吊り下げ物は、空気調和機本体を有し、前記連結ボルトは、前記空気調和機本体の前後方向両端位置まで延設され、両端部に前記空気調和機本体の前面側及び後面側に係合する係合部材が装着されることを特徴とする構成である。
【００１６】
第８に、本発明は、上記第１乃至第７のいずれかの構成を有する支持装置において、前記第２フレーム部材は、両端部が前記天井吊り下げ物の前後方向両端近傍位置まで延設され、該両端部に前記天井吊り下げ物の前後方向両端部を吊り下げ支持するためのボルトが取り付けられることを特徴とする構成である。
【００１７】
第９に、本発明は、上記第８の構成を有する支持装置において、前記第２フレーム部材は、前記フレーム連結部材によって支持される支持フレームと、前記支持フレームの前後方向両端部に接続され、前記第２フレーム部材の前後方向の長さを前記天井吊り下げ物の前後方向両端近傍位置まで延設する補助フレームと、を有し、前記ボルトが前記補助フレームに取り付けられることを特徴とする構成である。
【００１８】
第１０に、本発明は、上記第１乃至第９のいずれかの構成を有する支持装置において、前記吊りボルトの上端部には、前記天井構造に取り付けられたボルトに固定するための天井取付金具が予め取り付けられることを特徴とする構成である。
【発明の効果】
【００１９】
本発明の支持装置によれば、空気調和機などの天井吊り下げ物を効率的に適切な位置に吊り下げた状態で設置することができるようになる。また、本発明の支持装置によれば、高所作業が軽減されるため作業効率が向上する。
【図面の簡単な説明】
【００２０】
【図１】支持装置を用いた天井吊り下げ物の支持構造を示す斜視図である。
【図２】支持装置を用いた天井吊り下げ物の支持構造を示す側面図である。
【図３】第１フレーム部材の一構成例を示す図である。
【図４】第２フレーム部材の一構成例を示す図である。
【図５】フレーム連結部材の一構成例を示す図である。
【図６】吊りボルトの上端部に予め取り付けられる天井取付金具の一構成例を示す図である。
【図７】支持装置が組み付けられた空気調和機を天井空間に設置する作業工程を例示する図である。
【図８】デッキプレートが設けられた天井構造に支持装置を取り付けた状態を示す図である。
【図９】空気調和機の高さ調整機能を例示する図である。
【図１０】吊りボルトに対してブレースを配置した支持装置の構成例を示す斜視図である。
【図１１】吊りボルトに対してブレースを配置した支持装置の構成例を示す側面図である。
【図１２】剛性部材を用いてブレースを取り付けた支持装置を例示する側面図である。
【図１３】空気調和機を天井空間に設置した状態における従来の支持構造を示す図である。
【図１４】デッキプレートに空気調和機を設置する従来の支持構造を示す図である。
【発明を実施するための形態】
【００２１】
以下、本発明の好ましい実施形態について図面を参照しつつ詳細に説明する。尚、以下において参照する各図面では互いに共通する部材に同一符号を付しており、それらについての重複する説明は省略する。
【００２２】
図１は、本発明の一実施形態である支持装置１を用いた天井吊り下げ物１００の支持構造を示す斜視図であり、図２は、その側面図である。図１に示すＸＹＺ三次元座標系は、ＸＹ平面を水平面とし、Ｚ方向を鉛直方向とする座標系であり、図２を含む他の図においても共通する座標系である。本実施形態の支持装置１は、天井吊り下げ物１００を天井空間に吊り下げた状態で支持する装置である。本実施形態では、天井吊り下げ物１００として、隠蔽式の空気調和機１１０を例示する。隠蔽式の空気調和機１１０は、天井スラブなどの天井構造と天井パネルとの間の天井空間に隠蔽された状態で設置される空気調和機である。
【００２３】
空気調和機１１０は、内部に熱交換器が設けられた平面視略矩形状の箱形ユニットであり、空気調和機本体１２０と、フィルタユニット１３０と、吹出ユニット１４０と、吸気ユニット１５０とがＹ方向に沿って直列に組み付けられる構成である。具体的に説明すると、空気調和機本体１２０の吸気側（後方側）にはフィルタユニット１３０が接続され、フィルタユニット１３０は空気調和機本体１２０と一体構造となる。尚、空気調和機本体１２０は、予めフィルタユニット１３０が一体形成されたものであっても構わない。また、フィルタユニット１３０の更に吸気側（後方側）には、吸気ユニット１５０が接続される。また、空気調和機本体１２０の吹出側（前方側）には吹出ユニット１４０が接続される。つまり、この空気調和機１１０は、後方側に設けられている吸気ユニット１５０から空気を吸い込み、空気調和機本体１２０の内部の熱交換機で熱交換を行ってから前方側に設けられている吹出ユニット１４０から熱交換された空気を吹き出すように構成される。ただし、フィルタユニット１３０の吸気側には、吸気ユニット１５０が接続されないこともある。その場合、空気調和機１１０は、フィルタユニット１３０から空気を吸い込み、空気調和機本体１２０の内部の熱交換機で熱交換を行ってから前方側に設けられている吹出ユニット１４０から熱交換された空気を吹き出す。尚、吹出ユニット１４０の吹出口には、図示を省略する送風ダクトなどが接続される。
【００２４】
空気調和機本体１２０の内部には上述した熱交換機やファンなどが設けられる。そのため、空気調和機１１０における空気調和機本体１２０の重量割合が大きい。そこで空気調和機本体１２０の左側面には、前後方向両端の下部近傍位置に、吊りボルトなどのボルト部材９の下端部を接続するための一対の取付片１２１，１２１が設けられている。また、空気調和機本体１２０の右側面にも、同様に、前後方向両端の下部近傍位置に、図示を省略する一対の取付片１２１，１２１が設けられている。例えば、空気調和機本体１２０の左右両側面に設けられる一対の取付片１２１，１２１は、空気調和機本体１２０の前後方向（Ｙ方向）において互いに同じ位置に設けられる。
【００２５】
本実施形態の支持装置１は、上記のような概略箱形形状を成す空気調和機１１０の外面に対して装着固定される。以下、支持装置１の詳細について説明する。
【００２６】
図１に示すように、支持装置１は、空気調和機１１０の天井吊り下げ物の上面を左右方向（Ｘ方向）に横断するように配置される一対の第１フレーム部材１０と、第１フレーム部材１０の上方位置において空気調和機１１０の上面を前後方向（Ｙ方向）に横断するように配置される一対の第２フレーム部材２０と、第１フレーム部材１０及び第２フレーム部材２０が互いに直交した状態で、且つ、第１フレーム部材１０及び第２フレーム部材２０を互いに上下方向に所定間隔を隔てた状態となるように第１フレーム部材１０と第２フレーム部材２０とを相互に連結するフレーム連結部材３０と、下端部が第２フレーム部材２０に連結され、上端部が天井構造に接続される吊りボルト４０と、吊りボルト４０の上端部に予め取り付けられる天井取付金具５０と、を備えている。
【００２７】
一対の第１フレーム部材１０は、その左右両端部が空気調和機本体１２０の左右両側面において取付片１２１の上方位置となるように設置される。そのため、一対の第１フレーム部材１０は、Ｙ方向に所定間隔を隔てて互いに平行な状態で空気調和機本体１２０の上面に配置される。
【００２８】
図３は、第１フレーム部材１０の一構成例を示す図である。第１フレーム部材１０は、例えば断面Ｌ型のアングル鋼材（山形鋼）によって構成され、平板部１１と縦板部１２とを有している。
【００２９】
平板部１１の左右両端部には、空気調和機本体１２０の取付片１２１に取り付けられるボルト部材９の上端部を取り付けるための取付部１３が設けられる。例えば、取付部１３は、例えばボルト部材９を挿通可能な孔として形成される。尚、取付部１３は、空気調和機本体１２０の様々な幅寸法に適合させるため、ボルト部材９を挿通可能な孔を複数箇所に形成したものであっても構わない。また、取付部１３は、丸孔ではなく、第１フレーム部材１０の長手方向に沿って形成した長孔として形成し、長孔の任意の位置にボルト部材９を固定できるようにしても良い。
【００３０】
また縦板部１２の左右両端部には、フレーム連結部材３０や連結ボルト１５を取り付けるための取付部１４が設けられる。例えば、取付部１４は、フレーム連結部材３０を取り付けるためのボルトや、後述する連結ボルト１５を挿通可能な複数の孔１４ａによって構成され、それら複数の孔１４ａが第１フレーム部材１０の長手方向（Ｘ方向）に沿って所定間隔で形成されたものである。取付部１４として複数の孔１４ａを第１フレーム部材１０の長手方向に沿って設けることにより、第１フレーム部材１０に対して第２フレーム部材２０を連結する位置を第１フレーム部材１０の長手方向に沿って調整することができる。例えば、空気調和機本体１２０の左右両側面に設けられている取付片１２１，１２１の上方位置に、配管やダクトなどの障害物が存在する場合、第１フレーム部材１０に対してフレーム連結部材３０を取り付ける位置をＸ方向に調整することで、上方の障害物を避けた位置に第２フレーム部材２０を取り付けることが可能である。尚、取付部１４は、第１フレーム部材１０の長手方向に沿って形成した長孔として形成されるものであっても構わない。
【００３１】
このような第１フレーム部材１０は、平板部１１の左右両端部に設けられた取付部１３に対してボルト部材９の上端部が接続される。すなわち、ボルト部材９は、その下端部が空気調和機本体１２０の左右両側面に設けられている取付片１２１に取り付けられ、その上端部が第１フレーム部材１０の左右両端部に設けられた取付部１３に接続される。具体的には、取付部１３から上方に突出するボルト部材９の上端部に対してナットを装着し、そのナットを締め付けることにより、第１フレーム部材１０は、平板部１１の下面側を空気調和機本体１２０の上面に押し付けた状態で固定される。ボルト部材９の上端部に装着したナットを一定のトルクで締め付けることにより、第１フレーム部材１０は、ボルト部材９からの軸力を受ける。この軸力は、第１フレーム部材１０が空気調和機本体１２０の上面を押し付ける力として作用する。そのため、第１フレーム部材１０は、ボルト部材９の上端部に装着されるナットが平板部１１に対して一定のトルクで締着されることにより、空気調和機本体１２０の上面に接触した状態で固定されるのである。これにより、ボルト部材９の下部と上部の双方を空気調和機本体１２０の側面において固定することが可能であり、ボルト部材９の振れ止め効果を発揮する。
【００３２】
また、一対の第１フレーム部材１０は、空気調和機１１０の前後方向（Ｙ方向）に沿って配置される連結ボルト１５によって相互に連結され、所定間隔を隔てた平行な状態を保持するように一体化される。例えば図１に示すように、連結ボルト１５は、一対の第１フレーム部材１０の左右両端部に対して１本ずつ接続される。
【００３３】
図１及び図２に示すように、一対の第１フレーム部材１０を相互に連結する連結ボルト１５は、一対の第１フレーム部材１０の配置間隔よりも長く、フィルタユニット１３０が装着された空気調和機本体１２０の前後方向（Ｙ方向）の長さと略同一又はそれよりも若干長い寸法を有している。つまり、連結ボルト１５の両端は、フィルタユニット１３０が装着された空気調和機本体１２０の前後方向両端近傍位置まで延設される。そして、連結ボルト１５の両端部には、空気調和機本体１２０の前面側及び後面側に係合する係合部材１７が装着される。係合部材１７は、例えば金属プレートに連結ボルト１５を挿通可能な孔を設けた部材であり、金属プレートに設けた孔に連結ボルト１５を挿通した状態で金属プレートの前後両側をナットで締め付けることにより、連結ボルト１５に対する取付位置を固定することができる。この係合部材１７は、空気調和機本体１２０の前面及び後面のそれぞれに係合することにより、第１フレーム部材１０が空気調和機本体１２０の上面において前後方向（Ｙ方向）に変位することを抑制することができる。そのため、仮に大規模地震が発生した場合であっても、第１フレーム部材１０は、空気調和機本体１２０の上面において前後方向に相対振動することがないように固定される。
【００３４】
尚、本実施形態では、空気調和機本体１２０の左右両側面において下部近傍位置に一対の取付片１２１，１２１が設けられている。そのため、ボルト部材９は上下方向に所定値以上の長さを有することから、上述のように連結ボルト１５によって一対の第１フレーム部材１０を相互に連結しておくことが好ましい。これに対し、空気調和機本体１２０の左右両則面に設けられる一対の取付片１２１が空気調和機本体１２０の上部近傍位置に設けられることもある。そのような場合、ボルト部材９の上下方向の長さは所定値未満となる。ボルト部材９の長さが所定値未満となると、連結ボルト１５を用いない場合であっても、第１フレーム部材１０は前後方向に変位しない状態に固定される。そのため、一対の取付片１２１，１２１が空気調和機本体１２０の上部近傍位置にある場合には、連結ボルト１５を用いて一対の第１フレーム部材１０を相互に連結しない構成を採用しても良い。
【００３５】
第２フレーム部材２０は、フレーム連結部材３０によって第１フレーム部材１０に連結され、第１フレーム部材１０と直交する状態で空気調和機１１０の上方位置に設置される。この第２フレーム部材２０は、その両端部が空気調和機１１０の前後方向（Ｙ方向）の両端近傍位置まで延設される。すなわち、第２フレーム部材２０の前方側端部は、吹出ユニット１４０の前方側端面よりも長くなるように延設され、後方側端部は、吸気ユニット１５０の後方側端面よりも長くなるように延設される。尚、空気調和機本体１２０に対して吸気ユニット１５０が装着されていない場合、第２フレーム部材２０の後方側端部は、フィルタユニット１３０の後方側端面と同程度まで延設されたものであれば良い。
【００３６】
また一対の第２フレーム部材２０は、互いに所定間隔を隔てて互いに平行な状態となるように設置される。例えば、一対の第２フレーム部材２０の間隔は、天井構造に予め取り付けられるアンカーボルトなどの複数のボルト部材のＸ方向の設置間隔と略一致するように設置される。
【００３７】
図４は、第２フレーム部材２０の一構成例を示す図である。第２フレーム部材２０は、第１フレーム部材１０と同様、例えば断面Ｌ型のアングル鋼材によって構成され、平板部と縦板部とを有している。第２フレーム部材２０は、例えば、支持フレーム２３と、その支持フレーム２３の前後方向両端部のそれぞれに連結される補助フレーム２１，２２とを備えて構成される。
【００３８】
支持フレーム２３は、フレーム連結部材３０によって第１フレーム部材１０に連結されるＬ型のフレーム部材である。この支持フレーム２３の前後方向両端部には、補助フレーム２１，２２を連結するための連結部２０ａ，２０ｂが設けられている。例えば、連結部２０ａ，２０ｂは、支持フレーム２３と補助フレーム２１，２２とを相互に固定するためのボルト２４を挿通可能な孔として形成される。
【００３９】
また支持フレーム２３の平板部の所定位置には、フレーム連結部材３０を取り付けるための取付部２６と、吊りボルト４０を取り付けるための取付部２７とが設けられる。これら取付部２６，２７は、例えばボルトを挿通可能な孔として形成される。尚、支持フレーム２３の平板部には、取付部２６，２７となる孔を、第２フレーム部材２０の長手方向（Ｙ方向）に沿って所定間隔で複数箇所に設けるようにしても良い。平板部の複数箇所に取付部２６，２７を設けることにより、第２フレーム部材２０に対する吊りボルト４０の取付位置や、第１フレーム部材１０に対する連結位置を適宜調整することが可能となる。そのため、天井空間に存在する配管やダクトなどの障害物を避けた位置に第２フレーム部材２０を取り付けることが可能であり、更には障害物を避けた位置に吊りボルト４０を取り付けることが可能となる。
【００４０】
また、取付部２６，２７を複数箇所に設けることにより、天井構造にデッキプレートが配置されている場合であっても、デッキプレートの山部の位置に適合するように吊りボルト４０を取り付けることができるようになる。そのため、従来のように高所作業を行ってデッキプレートに支持構造３５０（図１４参照）を設置する必要がなく、作業効率が向上する。
【００４１】
尚、取付部２６，２７は、ボルトを挿通可能な丸孔として設けるものに限られず、例えば第２フレーム部材２０の長手方向に長孔として形成されたものであっても構わない。また、取付部２６，２７を丸孔として設ける場合は、電動ドリルなどを用いれば施工現場でも簡単に穿孔形成することが可能であるため、工場出荷時には取付部２６，２７としての丸孔をそれぞれ１つずつ設けたものであっても構わない。
【００４２】
補助フレーム２１は、支持フレーム２３の前方側端部に接続されるＬ型のフレームである。補助フレーム２１の一方の端部には、支持フレーム２３を連結するための連結部２１ａが設けられている。例えば、連結部２１ａは、支持フレーム２３と補助フレーム２１とを相互に固定するためのボルト２４を挿通可能な孔として形成される。また、補助フレーム２１の他方の端部には、吹出ユニット１４０の前方端部を吊り下げ支持するボルト２９を取り付けるための取付部２１ｂが設けられる。例えば、取付部２１ｂは、ボルト２９を挿通可能な孔として形成される。
【００４３】
補助フレーム２２は、支持フレーム２３の後方側端部に接続されるＬ型のフレームである。補助フレーム２２の一方の端部には、支持フレーム２３を連結するための連結部２２ａが設けられている。例えば、連結部２２ａは、支持フレーム２３と補助フレーム２２とを相互に固定するためのボルト２４を挿通可能な孔として形成される。また、補助フレーム２２の他方の端部には、吸気ユニット１５０の後方端部を吊り下げ支持するボルト２９を取り付けるための取付部２２ｂが設けられる。例えば、取付部２２ｂは、ボルト２９を挿通可能な孔として形成される。
【００４４】
吹出ユニット１４０や吸気ユニット１５０は、外形サイズが統一されていないため、補助フレーム２１，２２に設けられる取付部２１ｂ，２２ｂは、様々なサイズに適合できるようにするため、複数箇所に設けておくようにしても良い。また、補助フレーム２１，２２は、支持フレーム２３の長手方向にスライド可能とし、第２フレーム部材２０の前後方向両端側に延設する長さを調整できるようにしても構わない。
【００４５】
第２フレーム部材２０は、支持フレーム２３の両端部に対して補助フレーム２１，２２を、ボルト２４とナット２５とを用いて連結することにより構成される。このように第２フレーム部材２０を、複数のフレーム部材で構成することにより、支持装置１を施工現場へ搬送するときには第２フレーム部材２０を分解した状態で搬送することができるため、搬送効率に優れている。ただし、第２フレーム部材２０は、必ずしも複数のフレーム部材によって構成されるものに限定されず、１本のフレーム部材によって構成されるものであっても構わない。
【００４６】
また、上記のような第２フレーム部材２０は、取付部２６に対してフレーム連結部材３０が取付られることにより、図１に示すように、空気調和機１１０の上面から所定高さの位置に設置される。そして第２フレーム部材２０は、前後方向に延設された両端部の取付部２１ｂ，２２ｂに対してボルト２９が取り付けられ、そのボルト２９によって吸気ユニット１５０の後方端部及び吹出ユニット１４０の前方端部を支持する。
【００４７】
例えば、吸気ユニット１５０の後方端部には、図１に示すように、ボルト２９を取り付ける取付片１５３が設けられている。また、吹出ユニット１４０の前方端部にも、ボルト２９を取り付けるための取付片１４３が設けられている。ボルト２９の下部は、それら取付片１５３，１４３に挿通され、先端にナットが装着される。また、取付片１５３，１４３の下面と、ナットとの間には、ゴムなどの弾性部材によって構成される防振部材２８が介挿される。そのため、空気調和機１１０の稼働中に発生する振動は、防振部材２８によって吸収され、ボルト２９に伝わることがなくなる。
【００４８】
尚、空気調和機１１０に吸気ユニット１５０が存在しない場合、第２フレーム部材２０は、前方端部において吹出ユニット１４０だけを支持すれば良い。
【００４９】
次に図５は、フレーム連結部材３０の一構成例を示す図である。図５（ａ）は、フレーム連結部材３０を正面側から視た図であり、図５（ｂ）は、フレーム連結部材３０を背面側から視た図である。フレーム連結部材３０は、第２フレーム部材２０の取付部２６に取り付けられる支持ボルト３３と、第１フレーム部材１０に接続され、第１フレーム部材１０から立設する縦板部３１と、縦板部３１の上部に設けられ、支持ボルト３３を挿通する孔３４が形成された横板部３２と、横板部３２の孔３４に装着され、支持ボルト３３の下部に連結される防振部材３５と、を備えている。
【００５０】
縦板部３１の下部には、縦板部３１を第１フレーム部材１０の縦板部１２に固定するためのボルト孔３１ａが設けられると共に、第１フレーム部材１０の縦板部１２の上端部に係合する係合部３１ｂが設けられる。例えば、係合部３１ｂは、上方に延びる縦板部３１の左右両側に設けられており、第１フレーム部材１０の上端部に係合する。そのため、縦板部３１は、下部に設けられた係合部３１ｂを第１フレーム部材１０の縦板部１２の上端部に係合させると共に、ボルト孔３１ａを第１フレーム部材１０の縦板部１２に設けられている取付部１４の複数の孔１４ａのうちの一つの孔１４ａに適合させ、ボルトとナットを用いて締着することにより、第１フレーム部材１０に固定される。このとき、係合部３１ｂが第１フレーム部材１０の縦板部１２の上端部に係合しているため、ボルトとナットが締め付けられるときに縦板部３１がボルトを中心に回転してしまうことがなく、鉛直姿勢を良好に保持することができる。尚、縦板部３１の左右両側にリブを設けて強度を増したものを採用しても良い。
【００５１】
横板部３２の孔３４に装着される防振部材３５は、横板部３２に孔３４に固定されるコイルバネ３６と、コイルバネ３６の下部に接合するワッシャー３７と、支持ボルト３３の下部に装着されるナット３８とを備えて構成される。尚、ナット３８は、支持ボルト３３の頭部として支持ボルト３３に一体的に設けられたものであっても構わない。コイルバネ３６は、支持ボルト３３の外周面に接触することがない状態に配置され、その下部がナット３８（又は支持ボルト３３の頭部）支持ボルト３３によって支持される。つまり、支持ボルト３３は、コイルバネ３６を含む防振部材３５を介して横板部３２及び縦板部３１に連結される。
【００５２】
支持ボルト３３は、その上方に突出した部分が第２フレーム部材２０の平板部に設けられている取付部２６の孔に挿通される。支持ボルト３３の上部には、２つのナット３９ａ，３９ｂが装着される。ナット３９ｂは、第２フレーム部材２０の平板部の下面側に配置されるナットである。またナット３９ａは、第２フレーム部材２０の平板部の上面側に配置されるナットである。それら２つのナット３９ａ，３９ｂで第２フレーム部材２０の平板部を挟み込むことにより、支持ボルト３３は、第２フレーム部材２０を所定高さ位置に支持することができる。
【００５３】
また、第２フレーム部材２０の取付部２７に取り付けられる吊りボルト４０の下部にも上記と同様に２つのナットが装着される。吊りボルト４０の下部は、それら２つのナットで第２フレーム部材２０の平板部を挟み込むことにより、第２フレーム部材２０に固定される。
【００５４】
このように支持装置１は、第１フレーム部材１０と第２フレーム部材２０とを相互に連結するフレーム連結部材３０に、防振部材３５が配置されている。そのため、空気調和機１１０の稼働中に発生する振動は、防振部材３５によって吸収され、第２フレーム部材２０に伝わることがなくなる。そのため、支持装置１が天井構造に設置されると、第２フレーム部材２０が天井構造に対して固定され、第１フレーム部材１０及び空気調和機１１０が防振部材３５，２８を介して第２フレーム部材２０に支持された状態となる。
【００５５】
図６は、吊りボルト４０の上端部に予め取り付けられる天井取付金具５０の一構成例を示す図である。図６に示すように、天井取付金具５０は、吊りボルト４０の上端部に装着される金属製部材であり、概略コ字状の形態を有している。すなわち、天井取付金具５０は、平板部５１と、平板部５１の両側において互いに平行な状態で立設する一対の側板部５２とを有する。例えば、平板部５１は長方形状に形成される。また、平板部５１には、円形状の第１の孔５４と、その第１の孔５４に隣接し、平板部５１の長手方向に沿って形成される長孔状の第２の孔５５とが形成される。第１の孔５４は、例えば吊りボルト４０の上端部を挿通する孔であり、吊りボルト４０の外径よりも若干大きい内径の孔である。第２の孔５５は、天井構造に取り付けられるアンカーボルトやインサートに装着されるボルトなどのボルト部材を挿通するための孔であり、それらボルト部材の直径よりも若干大きい内幅の長孔である。
【００５６】
尚、上記とは反対に、第１の孔５４に対して天井構造に取り付けられるアンカーボルトやインサートに装着されるボルトなどを挿通し、第２の孔５５に対して吊りボルト４０の上端部を挿通するようにしても良い。また、第１の孔５４と第２の孔５５は、必ずしも区分けした状態に形成する必要はないため、第１の孔５４と第２の孔５５とを連通させた長孔状の１つの取付孔を形成し、その１つの取付孔に対し、天井構造に取り付けられるボルト部材と吊りボルト４０との双方を挿通するようにしても良い。
【００５７】
一対の側板部５２は、平板部５１の長手方向において中央部よりも両端部の高さが高くなっており、この両端部が天井スラブやデッキプレートなどの天井構造に対して当接する接合部５３として形成される。側板部５２の長手方向中央部が両端部の接合部５３よりも低くなることにより、接合部５３が天井構造に当接した状態であっても高さの低い中央部を窓として天井取付金具５０の内側の状態を目視で確認することが可能であるという利点がある。また、デッキプレートが山部と谷部とを有する波形形状であり、且つ、山部の中央にインサート装着用の溝部が形成されている場合、側板部５２の中央に高さの低い部分を設けておくことで、天井取付金具５０をデッキプレートの溝部に干渉させることなく、接合部５３をデッキプレートの下面に当接させた状態に設置することができるという利点もある。
【００５８】
このような天井取付金具５０は、ロングナット５８とナット５９とを用いて吊りボルト４０の上端部に取り付けられる。すなわち、吊りボルト４０の上端部にまずロングナット５８を装着し、ロングナット５８の上端から吊りボルト４０の先端を突出させた状態とし、その突出した先端を、天井取付金具５０の第１の孔５４に挿通してナット５９を装着する。これにより、天井取付金具５０が吊りボルト４０の上端部に仮止めされた状態となる。ここで、一対の側板部５２に設けられる接合部５３の高さＨは、少なくともナット５９の高さ寸法以上であれば良い。ただし、天井取付金具５０がインサートに装着されるボルトに取り付けられることを想定すれば、接合部５３の高さＨは、天井構造から下方に突出した状態となるインサートの高さ寸法よりも高くなるように予め設計しておくことが好ましい。
【００５９】
ロングナット５８は、軸方向（鉛直方向）に所定長さを有しており、吊りボルト４０の雄螺子と螺合する雌螺子を有している。天井取付金具５０は、ロングナット５８が吊りボルト４０に取り付けられた状態で平板部５１の下面がロングナット５８の上面に支持される。天井取付金具５０において吊りボルト４０が挿通される第１の孔５４は吊りボルト４０の外径よりも若干大きいため、天井取付金具５０は、第１の孔５４に対して吊りボルト４０が挿通された状態になると、吊りボルト４０の軸回りに回動可能な状態となる。そして天井取付金具５０が吊りボルト４０から抜け落ちてしまうことを防止するために、吊りボルト４０の先端にはナット５９が取り付けられる。尚、ナット５９は、吊りボルト４０の先端から抜け落ちないようにするための緩み止め機能や抜け止め機能を有するものを用いることが好ましい。
【００６０】
上記のように天井取付金具５０は、吊りボルト４０の上端部に対し、ロングナット５８とナット５９とで平板部５１が挟み込まれることによって取り付けられる。ロングナット５８が天井取付金具５０の下面に対してきつく締着されていない状態のとき、上述したように天井取付金具５０は、吊りボルト４０の軸回りに回動可能である。つまり、天井取付金具５０は仮止め状態のとき、吊りボルト４０の軸周りに回動する。これに対し、ロングナット５８が天井取付金具５０の下面に対してきつく締着された状態になると、天井取付金具５０はロングナット５８とナット５９とに挟まれた状態で固定されるため、吊りボルト４０の軸回りに回動しない状態となる。
【００６１】
上記のように構成される支持装置１は、各構成部材を分解した状態で施行現場に搬入可能であり、天井構造に設置する高所作業を行う前に予め床面上で空気調和機１１０に対する組み付け作業が行われる。そして支持装置１を空気調和機１１０に組み付ける作業が行われた後に、支持装置１を組み付けた空気調和機１１０を天井構造の近傍位置まで持ち上げ、支持装置１を天井構造から垂下するアンカーボルトなどのボルト部材に取り付ける作業が行われる。以下、このような作業の手順について説明する。
【００６２】
空気調和機１１０に支持装置１を組み付ける床面作業では、最初に空気調和機本体１２０の左右両側面に設けられている取付片１２１に対してボルト部材９を取り付けた後、そのボルト部材９の上端部に第１フレーム部材１０を取り付ける。このとき、第１フレーム部材１０の平板部１１を固定するためのナットを所定トルク以上で締め付けることにより、ボルト部材９の振れ止め効果を発揮させることができる。
【００６３】
次に連結ボルト１５を用いて一対の第１フレーム部材１０を相互に連結し、連結ボルト１５の両端部に係合部材１７を取り付ける。係合部材１７を、空気調和機本体１２０の前面及び後面のそれぞれに係合させることにより、第１フレーム部材１０を空気調和機本体１２０の上面において位置決めすることができる。尚、一対の第１フレーム部材１０を相互に連結する必要がない場合、連結ボルト１５を取り付ける工程は省略可能である。
【００６４】
続いて、第１フレーム部材１０の取付部１４に対してフレーム連結部材３０を取り付け、更にフレーム連結部材３０の支持ボルト３３に対して第２フレーム部材２０を取り付ける。尚、第２フレーム部材２０において、支持フレーム２３の両端部に対して補助フレーム２１，２２を接続する作業は、フレーム連結部材３０に第２フレーム部材２０を取り付けた後に行うようにしても良いし、フレーム連結部材３０に第２フレーム部材２０を取り付ける前に行うようにしても良い。そして第２フレーム部材２０に対して吊りボルト４０を取り付け、吊りボルト４０の上端部に天井取付金具５０を取り付ける。尚、吊りボルト４０を第２フレーム部材２０に取り付ける前に、吊りボルト４０の上端部に対して先に天井取付金具５０を取り付けておいても良い。
【００６５】
作業者は、上記の作業を行うとき、設計上予め定められている空気調和機１１０の設置位置に基づき、天井空間に存在する障害物や、デッキプレートの山部の位置などを確認し、第１フレーム部材１０に対してフレーム連結部材３０を取り付ける位置や、フレーム連結部材３０に対して第２フレーム部材２０を取り付ける位置、第２フレーム部材２０に対して吊りボルト４０を取り付ける位置などを適宜調整する。つまり、支持装置１は、天井空間に存在する障害物を避けることができる位置に吊りボルト４０を取り付けることが可能であり、またデッキプレートの山部のピッチに対応する位置に吊りボルト４０を取り付けることが可能である。
【００６６】
上記のように、空気調和機１１０に対して支持装置１を組み付ける作業は、床面上に空気調和機１１０を設置した状態で行うことが可能であるため、作業者にとって作業しやすく、効率的に支持装置１を組み付けることができる。
【００６７】
空気調和機１１０に支持装置１が組み付けられると、空気調和機１１０は、図７に示すように、昇降装置２５０に載置される。そして昇降装置２５０が矢印Ｆ１で示すように上昇駆動されることにより、支持装置１が組み付けられた空気調和機１１０が天井スラブなどの天井構造２００の近傍位置まで持ち上げられる。天井構造２００には、予めアンカーボルトなのボルト部材２１０が取り付けられている。作業者は、天井構造２００から垂下するボルト部材２１０の位置と、支持装置１の上端に装着される天井取付金具５０の位置とが合致するように昇降装置２５０を床面上で位置合わせし、昇降装置２５０を上昇駆動する。ただし、天井取付金具５０は、吊りボルト４０の軸周りに回動可能であり、ボルト部材２１０の位置が多少ずれていても天井取付金具５０の第２の孔５５にボルト部材２１０を取り付けることが可能であるため、作業者は、ボルト部材２１０の位置と、天井取付金具５０の位置とを厳密に位置合わせする必要はない。
【００６８】
そして支持装置１の天井取付金具５０の第２の孔５５にボルト部材２１０を挿入し、ボルト部材２１０の先端にナットを装着して締着することにより、天井取付金具５０が支持装置１及び空気調和機１１０を支持した状態で天井構造２００に取り付けられる。その後、天井取付金具５０の下部に装着されているロングナット５８が天井取付金具５０の下面に対して締着されることにより、天井取付金具５０と吊りボルト４０とが相互に固定され、支持装置１は、空気調和機１１０を支持した状態で天井構造２００に設置される。
【００６９】
図８は、デッキプレート２０１が設けられた天井構造２００に支持装置１を取り付けた状態を示す図である。デッキプレート２０１は、山部２０２と谷部２０３とが所定間隔で形成された波形形状を有している。このようなデッキプレート２０１に支持装置１を取り付ける場合、吊りボルト４０は、デッキプレート２０１の山部２０２に取り付けることが必要である。本実施形態の支持装置１は、第２フレーム部材２０に対する吊りボルト４０の取り付け位置を第２フレーム部材２０の長手方向（Ｙ方向）の任意の位置に取り付け可能である。そのため、空気調和機１１０を設計上予め定められた位置に設置したとき、空気調和機本体１２０の側面に設けられている一対の取付片１２１，１２１の上方位置にデッキプレート２０１の山部２０２が存在していない場合であっても、第２フレーム部材２０に対して吊りボルト４０を取り付ける際に、デッキプレート２０１の山部２０２の位置に適合する位置に吊りボルト４０を予め取り付けておくことにより、図８に示すように吊りボルト４０の上端部をデッキプレート２０１の山部２０２に設けられたボルト部材２１０に対して固定することができる。それ故、作業者にとっては、高所作業が軽減され、作業効率に優れているという利点がある。
【００７０】
図８では、デッキプレート２０１の山部２０２と谷部２０３がＹ方向に沿って連続している場合を例示したが、山部２０２と谷部２０３がＸ方向に沿って連続している場合も同様である。すなわち、支持装置１は、第１フレーム部材１０に対するフレーム連結部材３０の取付位置をＸ方向に沿って調整可能であるため、山部２０２と谷部２０３とがＸ方向に沿って連続している場合には第２フレーム部材２０が山部２０２の下方に位置するようにフレーム連結部材３０を取り付ければ良い。
【００７１】
このように本実施形態の支持装置１は、吊りボルト４０の取付位置をＸＹ平面内で調整することができるため、空気調和機本体１２０の側面に設けられた一対の取付片１２１，１２１の上方に障害物が存在する場合であっても空気調和機１１０を設計上予め定められた適切な位置に設置することが可能であり、しかも一対の取付片１２１，１２１の上方位置にデッキプレート２０１の山部２０２が存在しない場合であっても吊りボルト４０の取付位置を調整することにより、山部２０２に対して吊りボルト４０の上端部を固定することが可能である。
【００７２】
また、上記のように構成される支持装置１は、例えば天井構造２００に設置された後であっても、空気調和機１１０の高さ位置を簡単に微調整することが可能である。図９は、空気調和機１１０の高さ調整機能を例示する図である。支持装置１が天井構造２００に取り付けられた後、空気調和機１１０の高さ位置の微調整を行う場合、作業者は、図９に示すように、第２フレーム部材２０の下面側に配置されているナット３９ｂを予め緩めておく。その状態で、作業者は、電動工具に装着したビットを第２フレーム部材２０の上面側に位置するナット３９ａに嵌め込み、電動工具を作動させることでナット３９ａを支持ボルト３３の軸周り（Ｒ方向）に回転させる。例えばナット３９ａを右回り方向に回転させると、支持ボルト３３が上昇する。これに伴い、空気調和機１１０が上方に移動する。また、ナット３９ａを左周り方向に回転させると、支持ボルト３３が下降する。これに伴い、空気調和機１１０が下方へ移動する。つまり、支持装置１は、第２フレーム部材２０の上面側に配置されている４つのナット３９ａをＲ方向に回転させることにより、空気調和機１１０の高さ位置を微調整することができるのである。そして空気調和機１１０の高さ位置が決まれば、第２フレーム部材２０の下面側のナット３９ｂを締め付けることにより、支持ボルト３３と第２フレーム部材２０とを固定することができる。
【００７３】
このように本実施形態の支持装置１は、第１フレーム部材１０に取り付けられるフレーム連結部材３０が、第２フレーム部材２０を第１フレーム部材１０の上方位置で支持するように構成であるため、第２フレーム部材２０と第１フレーム部材１０との間隔を簡単に調整することが可能であり、空気調和機１１０の高さ調整を行い易いという利点がある。
【００７４】
また、天井構造２００から空気調和機１１０を設置する距離が長くなる場合には、それに応じて吊りボルト４０の長さを長くすれば良い。この場合、吊りボルト４０の長さが所定長さを超えると、地震発生時に吊りボルト４０が大きく振動し、それに応じて空気調和機１１０が大きく振れる。そのような振動を防止するため、吊りボルト４０が所定長さを超える場合には、互いに隣り合う吊りボルト４０に対して補強材となるブレースを予め配置しておくことが好ましい。
【００７５】
図１０は、吊りボルト４０に対してブレース７０を配置した支持装置１の構成例を示す斜視図であり、図１１は、その側面図である。図１０及び図１１に示す支持装置１は、一対の第２フレーム部材２０から上方に突出する４本の吊りボルト４０のうち、互いに隣り合う２本の吊りボルト４０の間に２本のブレース７０を交叉配置したものである。例えば、４本の吊りボルト４０の上端近傍位置には、ブレース７０の上部を接続するブレース連結金具７１が取り付けられ、そのブレース連結金具７１に対してブレース７０の上部が固定される。また、ブレース７０の下部は、ブレース固定金具７２，７３によって第２フレーム部材２０や吊りボルト４０の下端部に固定される。
【００７６】
特に、ＸＺ平面内に配置されるブレース７０の下部は、第２フレーム部材２０から下方に突出する吊りボルト４０の先端部にブレース固定金具７３を用いて固定される好ましい。ブレース７０の固定位置を第２フレーム部材２０の上側に設けるよりも、第２フレーム部材２０の下側に設けることにより、より高い振れ止め効果を得ることができるからである。
【００７７】
また、ＹＺ平面に配置されるブレース７０の下部は、ブレース固定金具７２と第２フレーム部材２０との間に挟み込まれた状態で１つのボルトで固定される。ブレース７０の下部を１つのボルトを締め付けることによって固定できるようにすることで作業効率を向上させることができる。
【００７８】
図１０及び図１１に示すように、床面上での作業で４本の吊りボルト４０のそれぞれに対してブレース７０を予め交叉配置しておくことにより、高所作業でブレース７０を設置する作業を行わなくて済むため、作業性がより一層向上する。そしてブレース７０が交叉配置された吊りボルト４０の上端部に天井取付金具５０を予め床面作業で取り付けておく点は、上述した通りである。
【００７９】
また、隣り合う２本の吊りボルト４０の間に梁などの障害物が存在する場合には、図１０及び図１１に示したように２本の吊りボルト４０の間にブレース７０を交叉配置することができない場合がある。そのような場合には、障害物の近傍位置において２本の吊りボルト４０の間に剛性部材を配置し、その剛性部材を利用してブレース７０を配置すれば良い。
【００８０】
図１２は、剛性部材８０を用いてブレース７０を取り付けた支持装置１を例示する側面図である。例えば、図１２に示すように天井構造２００に梁などの障害物２８０が存在し、２本の吊りボルト４０の間にブレース７０を交叉配置することができない場合、支持装置１を床面作業で組み付けるとき、障害物２８０を挟む状態に位置する２本の吊りボルト４０の間に、金属プレートなどによって構成される剛性部材８０を取り付ける。剛性部材８０は、その両端が吊りボルト４０の所定高さ位置に固定され、２本の吊りボルト４０の間を横断するように取り付けられる。このような剛性部材８０は、障害物２８０の近傍位置に取り付けられることが好ましい。剛性部材８０は、それ自体で２本の吊りボルト４０の振れ止め効果を発揮する。ただし、より好ましくは、図１２に示すように剛性部材８０に対してブレース７０を更に取り付けることである。そのとき、ブレース７０の一端を、上述したブレース固定金具７２を用いて剛性部材８０の平面に固定することにより、簡単にブレース７０を取り付けることができる。
【００８１】
また、剛性部材８０から上方に配置するブレース７０は、図１２に示すように天井構造２００に別途取り付けたボルト部材２２０に対してブレース固定金具７３を用いて取り付けるようにしても良い。ただし、この場合、剛性部材８０から上方に配置するブレース７０の取付作業は、高所作業として行う必要がある。また、吊りボルト４０に取り付けられているブレース連結金具７１にブレース７０の上端部を取り付けるようにしても良い。この場合は、床面作業で全てのブレース７０を支持装置１に予め組み付けておくことができる。
【００８２】
以上のように本実施形態の支持装置１は、概略箱形形状の互いに平行な左右両側面にボルト部材９を取り付けるための取付片１２１が設けられた空気調和機１１０を、天井空間に吊り下げた状態で支持するように構成される。この支持装置１は、空気調和機１１０の上面を左右方向（Ｘ方向）に横断するように配置され、両端部に取付片１２１に取り付けられるボルト部材９が連結されることにより空気調和機１１０の上面に対して固定される第１フレーム部材１０と、空気調和機１１０の上面を前後方向（Ｙ方向）に横断するように配置される第２フレーム部材２０と、第１フレーム部材１０と第２フレーム部材２０とが互いに直交し、且つ、第１フレーム部材１０と第２フレーム部材２０とが上下方向に所定間隔を隔てた状態で第１フレーム部材１０と第２フレーム部材２０とを相互に連結するフレーム連結部材３０と、下端部が第２フレーム部材２０に連結され、上端部が天井構造２００に接続される吊りボルト４０と、を備えている。
【００８３】
このような構成を有する支持装置１は、床面作業で比較的簡単に空気調和機１１０に組み付けが可能である。また、支持装置１は、空気調和機１１０を支持するボルト部材９の上端部を第１フレーム部材１０に接続して固定する。そのため、ボルト部材９に軸力を作用させた状態でボルト部材９を固定することができ、仮に大規模地震が発生したとしてもボルト部材９が振動してしまうことを良好に防止することが可能であり、空気調和機１１０の振動も抑制することができる。それ故、地震発生時に、空気調和機１１０に接続される冷媒配管や送風ダクトなどの接続部の破損を抑制することが可能であり、地震が収まった後、直ぐに空気調和機１１０を正常稼働させることができる。
【００８４】
また、上記構成を有する支持装置１は、第１フレーム部材１０よりも下方に、ボルト部材９以外の部材を配置しないため、空気調和機１１０の左右両側面に設けられる冷媒配管などの接続部の近傍位置や、フィルタユニット１３０の開閉扉の近傍位置などに邪魔な部材を配置しない構成となっている。そのため、例えば空気調和機１１０のメンテナンス時に支持装置１が邪魔になるようなことはなく、メンテナンス作業をスムーズに行うことができるという利点もある。
【００８５】
また、支持装置１は、フレーム連結部材３０に防振部材３５が設けられおり、また第２フレーム部材２０の両端部も防振部材２８を介して吸気ユニット１５０及び吹出ユニット１４０を支持するように構成されている。そのため、空気調和機１１０が稼働するときに、空気調和機１１０の振動が天井構造２００に伝搬することを防止することが可能である。
【００８６】
以上、本発明に関する好ましい実施形態を説明したが、本発明は、上記実施形態において説明したものに限定されるものではない。すなわち、本発明には、上記各実施形態において説明したものに種々の変形例を適用したものの含まれる。
【００８７】
例えば、上記実施形態では、天井吊り下げ物１００の一例として隠蔽式の空気調和機１１０を例示した。しかし、上述した支持装置１を使用して吊り下げ可能な物体は、必ずしも空気調和機に限られない。すなわち、上述した支持装置１は、概略箱形形状を有する物体であれば、どのような物体であっても天井構造２００に吊り下げた状態で良好に支持することができる装置である。
【００８８】
また、上記実施形態では、第１フレーム部材１０と第２フレーム部材２０との間に防振部材３５は配置する例を説明したが、これに限られるものではない。例えば、防振部材３５は、吊りボルト４０と第２フレーム部材２０との接続部に配置しても良い。ただし、吊りボルト４０と第２フレーム部材２０との接続部に防振部材３５を配置すると、地震発生時に第２フレーム部材２０が大きく振れることになり、それに伴って天井吊り下げ物１００の振れ幅も大きくなる。そのため、地震発生時における天井吊り下げ物１００の振れ幅を小さくするためには、上記実施形態で説明したように、第１フレーム部材１０と第２フレーム部材２０との間に防振部材３５を配置することが好ましい。
【符号の説明】
【００８９】
１…支持装置、１０…第１フレーム部材、１５…連結ボルト、１７…係合部材、２０…第２フレーム部材、２１，２２…補助フレーム、２３…支持フレーム、２８…防振部材、３０…フレーム連結部材、３１…縦板部、３２…横板部、３３…支持ボルト、３５…防振部材、４０…吊りボルト、５０…天井取付金具、１００…天井吊り下げ物、１１０…空気調和機、１２０…空気調和機本体、１３０…フィルタユニット、１４０…吹出ユニット、１５０…吸気ユニット。 
【要約】
【課題】空気調和機などの天井吊り下げ物を効率的に適切な位置に設置できるようにする。
【解決手段】概略箱形形状の互いに平行な左右両側面にボルト部材９を取り付けるための取付片１２１が設けられた天井吊り下げ物１００を、天井空間に吊り下げた状態で支持する支持装置１は、天井吊り下げ物１００の上面を左右方向に横断するように配置され、両端部にボルト部材９が連結されることにより天井吊り下げ物１００の上面に対して固定される第１フレーム部材１０と、天井吊り下げ物１００の上面を前後方向に横断するように配置される第２フレーム部材２０と、第１フレーム部材１０と第２フレーム部材２０とが互いに直交し、且つ、第１フレーム部材１０と第２フレーム部材２０とを上下方向に所定間隔を隔てた状態で相互に連結するフレーム連結部材３０と、下端部が第２フレーム部材２０に連結され、上端部が天井構造に接続される吊りボルト４０と、を備える。
【選択図】図１【図１】
0006709485.tif 000002
【図２】
0006709485.tif 000003
【図３】
0006709485.tif 000004
【図４】
0006709485.tif 000005
【図５】
0006709485.tif 000006
【図６】
0006709485.tif 000007
【図７】
0006709485.tif 000008
【図８】
0006709485.tif 000009
【図９】
0006709485.tif 000010
【図１０】
0006709485.tif 000011
【図１１】
0006709485.tif 000012
【図１２】
0006709485.tif 000013
【図１３】
0006709485.tif 000014
【図１４】
0006709485.tif 000015